(57)【要約】【課題】見切りにおいて有用な機能を持たせることが容易であり、また当該見切りを取り付ける際の作業性を向上できる見切りおよび見切り設置構造を提供する。【解決手段】見切り１は、先端部１１ａ側が低くなる傾斜形状を有し且つ先端下部に水切り１１ｂを有する第１見切部材１１と、上記第１見切部材１１の下側に位置する第２見切部材１２と、上記第１見切部材１１が取り付けられる第１取付部１３ａおよび上記第２見切部材１２が取り付けられる第２取付部１３ｂを有する取付本体部１３と、を備える。【選択図】図２
2015031116.tif 000002
【特許請求の範囲】
【請求項１】
水切りを有する第１見切部材と、上記第１見切部材の下側に位置する第２見切部材と、上記第１見切部材が取り付けられる第１取付部および上記第２見切部材が取り付けられる第２取付部を有する取付本体部と、を備えたことを特徴とする見切り。
【請求項２】
請求項１に記載の見切りにおいて、上記第１見切部材と上記第２見切部材の表面色および材質の少なくとも一方が異なることを特徴とする見切り。
【請求項３】
請求項１または請求項２に記載の見切りにおいて、上記取付本体部は縦板部の上側に横板部を有した断面鉤形状を有し、上記横板部に上記第１取付部が形成され、上記縦板部に上記第２取付部が形成されていることを特徴とする見切り。
【請求項４】
請求項１〜請求項３のいずれか１項に記載の見切りにおいて、当該見切りを建物に装着する締結部材の締結箇所が上記第１見切部材および上記第２見切部材によって隠されることを特徴とする水切り。
【請求項５】
請求項１〜請求項４のいずれか１項に記載の見切りにおいて、上記第１見切部材が水抜き孔を有することを特徴とする水切り。
【請求項６】
請求項５に記載の見切りにおいて、上記第２見切部材は先端部側が低くなる傾斜形状を有し、この傾斜形状の箇所の上方に上記水抜き孔が位置することを特徴とする水切り。
【請求項７】
請求項１〜請求項６のいずれか１項に記載の見切りにおいて、上記第１見切部材の下面からの上記水切りの突出量が１．０ｍｍ以上２．０ｍｍ以下であることを特徴とする水切り。
【請求項８】
請求項１〜請求項７のいずれか１項に記載の見切りにおいて、上記第１見切部材の先端部の高さが５．０ｍｍ以上１０．０ｍｍ以下であることを特徴とする水切り。
【請求項９】
請求項１〜請求項８のいずれか１項に記載の見切りの上記取付本体部が外壁と軒天の交差する箇所に取り付けられ、上記第１見切部材の上記水切りが設けられる先端部が上記外壁の表面よりも外側に出る一方、上記第２見切部材の奥縁が上記軒天の屋外側の縁部を隠すことを特徴とする見切り設置構造。
【発明の詳細な説明】
【技術分野】
【０００１】
この発明は、建物の室外側に設けられる見切りおよび見切り設置構造に関する。
【背景技術】
【０００２】
特許文献１には、外壁面にバルコニー、ベランダ等の張出部が形成され、該張出部の外壁面にタイル、パネル等の外壁材が乾式施工により取り付けられ、外壁材の下端面を見切り材で隠蔽するようにした建物において、見切り材の軒天井設置面と、見切り材の張出部外壁材設置面との間に、張出部外壁材設置面の方が低くなる段差を設けた構造が開示されている。
【先行技術文献】
【特許文献】
【０００３】
【特許文献１】特開２００１−１３２０９０号公報
【発明の概要】
【発明が解決しようとする課題】
【０００４】
しかしながら、上記特許文献１に開示の技術は、見切りにおいて水きりや水抜き等の有用な機能を持たせることが容易でなく、当該見切りを取り付ける際の作業性を向上できるものではなかった。また、見た目にも見切りに厚みがあり、意匠的にも問題があった。
【０００５】
この発明は、上記の事情に鑑み、見切りにおいて有用な機能を持たせることが容易であり、当該見切りを取り付ける際の作業性を向上できる見切りおよび見切り設置構造を提供すること、また意匠性を向上することを課題とする。
【課題を解決するための手段】
【０００６】
この発明の見切りは、水切りを有する第１見切部材と、上記第１見切部材の下側に位置する第２見切部材と、上記第１見切部材が取り付けられる第１取付部および上記第２見切部材が取り付けられる第２取付部を有する取付本体部と、を備えたことを特徴とする。
【０００７】
上記の構成であれば、当該見切りが上記第１見切部材と上記第２見切部材とに分かれるので、例えば上記第２見切部材に影響を与えずに上記第１見切部材に有用な機能を持たせることが容易であり、また、その逆も容易である。また、上記取付本体部に上記第１見切部材および上記第２見切部材を取り付けることができる構造であるので、上記第１見切部材と上記第２見切部材の規定の位置関係を確保しつつ当該見切りを建物に取り付ける際の作業性を向上できる。
【０００８】
上記第１見切部材と上記第２見切部材の表面色および材質の少なくとも一方が異なることとしてもよい。これによれば、例えば、見切り全体の厚みに対して上記第１見切部材の薄さを際立たせて、当該見切りの意匠性を高めることが可能になる。
【０００９】
上記取付本体部は縦板部の上側に横板部を有した断面鉤形状を有し、上記横板部に上記第１取付部が形成され、上記縦板部に上記第２取付部が形成されていてもよい。このように上記取付本体部が断面鉤形状を有していると、例えば外壁と軒天とが交差して段をなす箇所に上記取付本体部を固定することが容易になる。
【００１０】
当該見切りを建物に装着する締結部材の締結箇所が上記第１見切部材および上記第２見切部材によって隠されるようにしてもよい。これによれば、上記締結部材によって見切りの意匠性が損なわれるのを防止することができる。
【００１１】
上記第１見切部材が水抜き孔を有していてもよい。これによれば、上記第１見切部材内に入り込んだ雨水を上記水抜き孔から排出できる。上記水抜き孔は上記有用な機能の一つとなる。
【００１２】
上記第２見切部材は先端部側が低くなる傾斜形状を有し、この傾斜形状の箇所の上方に上記水抜き孔が位置していてもよい。上記水抜き孔からの水が上記第２見切部材上で溜まるのを防止できる。上記傾斜形状も上記有用な機能の一つとなる。
【００１３】
上記第１見切部材の下面からの上記水切りの突出量が１．０ｍｍ以上２．０ｍｍ以下であってもよい。このように上記水切りを比較的小さな突出量とすることで見切りの意匠性がさらに向上する。
【００１４】
上記第１見切部材の先端部の高さが５．０ｍｍ以上１０．０ｍｍ以下であってもよい。このように上記先端部を比較的低くすることで見切りの意匠性をさらに向上できる。
【００１５】
この発明の見切り設置構造は、上記見切りの上記取付本体部が外壁と軒天の交差する箇所に取り付けられ、上記第１見切部材の上記水切りが設けられる先端部が上記外壁の表面よりも外側に出る一方、上記第２見切部材の奥縁が上記軒天の屋外側の縁部を隠すことを特徴とする。
【００１６】
上記の構成であれば、外壁と軒天の交差する箇所において、見切り取り付けの作業性や意匠性が向上する。そして、上記第１見切部材の上記先端部が上記外壁の表面よりも外側に出るので、水切りが良好に行え、また、上記第２見切部材が上記軒天の見切りとして機能する。
【発明の効果】
【００１７】
本発明であれば、見切りにおいて有用な機能を持たせることが容易であり、また、当該見切りを取り付ける際の作業性を向上できるという効果を奏する。
【図面の簡単な説明】
【００１８】
【図１】本発明の実施形態にかかる見切りの端部を示した立体図である。
【図２】図１の見切りを用いた見切り設置構造の概略縦断面（ハッチングを省略している）である。
【図３】同図（Ａ）および同図（Ｂ）は図２の見切り設置の手順を示した概略縦断面（ハッチングを省略している）である。
【発明を実施するための形態】
【００１９】
以下、この発明の実施の形態を添付図面に基づいて説明する。
図１に示すように、この実施形態の見切り１は、先端部１１ａ側が低くなる傾斜形状を有し且つ先端部１１ａの下部に水切り１１ｂを有する第１見切部材１１と、上記第１見切部材１１の下側に位置する第２見切部材１２と、上記第１見切部材１１が取り付けられる第１取付部１３ａおよび上記第２見切部材１２が取り付けられる第２取付部１３ｂを有する取付本体部１３と、を備える。
【００２０】
また、上記見切り１において上記取付本体部１３に上記第１見切部材１１および上記第２見切部材１２を装着した状態では、下から見上げると上記取付本体部１３は見えないようになっている。また、上記取付本体部１３に上記第１見切部材１１を装着した状態で工場出荷することができる。上記取付本体部１３は部分的に設けるものでもよく、例えば幅１００ｍｍ程度で９１０ｍｍ程度のピッチで設けることができる。また、上記第１見切部材１１と上記第２見切部材１２の表面色および材質の少なくとも一方を異ならせることができる。上記表面色は模様を含む。上記材質としては金属、樹脂などがある。また、上記材質には全体材質のほか表面材質が含まれる。例えば、本体材質が金属で表面材質が樹脂等であり、この表面材質の樹脂等において色等が異なっていてもよい。
【００２１】
上記第１見切部材１１の奥側下部には、水返し１１ｃが形成されており、上記第１見切部材１１の奥側の立板部には、丸形或いは角形等の水抜き孔１１ｄが形成されている。上記水抜き孔１１ｄは水平方向に例えば４５５ｍｍピッチで形成される。また、上記第１見切部材１１の先端部１１ａの下面からの上記水切り１１ｂの突出量は例えば、１．０ｍｍ以上２．０ｍｍ以下とされ、この実施形態においては１．５ｍｍとしている。上記水切り１１ｂが在ることで、降雨時に外壁表面を伝って流れ落ちる雨水が軒天側に流れ難くなる。また、上記第１見切部材１１の上記先端部１１ａの高さ（上記水切り１１ｂを含めた高さ）は例えば、５．０ｍｍ以上１０．０ｍｍ以下とされ、この実施形態においては７．０ｍｍとしている。また、上記第１見切部材１１の下面は、上記水切り１１ｂから上記水返し１１ｃの間において平坦面となっている。また、上記水返し１１ｃの突出量は例えば１．５ｍｍとされる。
【００２２】
また、上記傾斜形状の部分の上側位置には雨水浸入防止ゴム５（図２参照）が装着される係止凹部１１ｅが形成されている。上記係止凹部１１ｅの形成位置よりも奥側の箇所には上記取付本体部１３の上面側に接する当接部１１ｆが形成されている。上記当接部１１ｆの箇所から仮に雨水が浸入したとしても、この雨水を上記水抜き孔１１ｄから排出させることができる。また、上記当接部１１ｆ上に止水テープ等を設けることができる。また、上記第１見切部材１１の奥側の凸面部１１ｇは、上記取付本体部１３の第１取付部１３ａの裏面側に形成された凹段部に係止される。
【００２３】
また、上記第２見切部材１２は先端部１２ａ側が低くなる傾斜形状を有しており、この傾斜形状の部分が上記水返し１１ｃおよび上記水抜き孔１１ｄの下方に位置している。さらに上記第２見切部材１２の下面板部１２ｂには、上記取付本体部１３よりも奥側に張り出す張り出し部が形成されている。この張り出し部の奥端には上側に突出する第１凸ライン部１２ｃが形成されており、この第１凸ライン部１２ｃよりも手前側には第２凸ライン部１２ｄが形成されている。上記第２凸ライン部１２ｄは第１凸ライン部１２ｃよりも高く形成されている。これら、第１凸ライン部１２ｃおよび第２凸ライン部１２ｄによって例えば軒天との間に大きな隙間ができるのを防止できる。また、上記下面板部１２ｂには、上記取付本体部１３の下面と係合する係合凸部１２ｅが形成されている。さらに、上記第２見切部材１２の上記傾斜形状の部分の上部側に立上板部１２ｆが形成されている。上記立上板部１２ｆの背面側には上記取付本体部１３と係合する係合部が形成されている。
【００２４】
また、上記取付本体部１３は、縦板部の上側に横板部を有した断面鉤形状を有し、上記横板部に上記第１取付部１３ａが形成され、上記縦板部に上記第２取付部１３ｂが形成されている。上記第１取付部１３ａの裏面側に上記第１見切部材１１の略中央部から奥側にかけての部分が位置する。また、上記第１取付部１３ａの先端側には段部１３ｃが形成されており、この段部１３ｃの上面に上記当接部１１ｆが当接している。
【００２５】
また、上記第２取付部１３ｂには、手前側に突出する３つの係合部が形成されている。上記立上板部１２ｆの背面側に形成されている上２つの係合部は上記第２取付部１３ｂの上記３つの係合部のうちの上２つに係合する。そして、上記３つの係合部のうちの最も下の係合部の下面には凹部が形成されており、この凹部に上記係合凸部１２ｅが係合する。
【００２６】
次に、見切り設置構造例について説明していく。図２に示すように、この見切り設置構造においては、上記見切り１が、例えばバルコニーの外壁（垂壁）２と軒天３の交差する段状の箇所において上記外壁２の表面よりも上記第１見切部材１１の上記先端部１１ａが外側に出るとともに、上記第２見切部材１２が上記軒天３の屋外側縁部に位置するように設けられる。上記第１見切部材１１および上記第２見切部材１２を支持する上記取付本体部１３は、上記外壁２のフレーム２１の下側に設けられた桟木４１に固定される。上記桟木４１は現場でビス４２により上記フレーム２１に固定される。また、上記先端部１１ａの上記外壁２の表面からの突出の量は例えば２０ｍｍとされる。
【００２７】
上記軒天３は軒天パネル３２と軒天見切り３３とからなる。上記軒天パネル３２は軒天下地桟３１の下面に取り付けられる。また、軒天パネル３２の手前縁は上記軒天見切り３３の手前端よりも外側に位置している。上記第２見切部材１２の下面板部１２ｂの張り出し部は、上記軒天３の縁に被さって当該縁を隠している。そして、上記第１凸ライン部１２ｃの先端は上記軒天見切り３３に対向し、上記第２凸ライン部１２ｄは上記軒天パネル３２に対向している。
【００２８】
上記第２見切部材１２の表面色および質感が、上記軒天３（軒天見切り３３）の表面色および質感と同一か、または上記第１見切部材１１の表面色および質感よりも上記軒天３（軒天見切り３３）の表面色および質感に近くすることができる。
【００２９】
上記見切り１の設置は、図３（Ａ）および図３（Ｂ）に示すように、上記取付本体部１３の第１取付部１３ａに上記第１見切部材１１を取り付けた状態のものを、上記桟木４１の下に位置させ、また軒天下地桟３１の屋外側面に上記第２取付部１３ｂを当接させ、ビス（締結部材）４３によって上記取付本体部１３および上記第１見切部材１１を上記桟木４１に固定する。なお、上記第１見切部材１１を固定する前に上記係止凹部１１ｅに上記雨水浸入防止ゴム５を装着しておくことができる。
【００３０】
そして、上記第２見切部材１２を、その下面板部１２ｂの張り出し部が上記軒天３の縁に被さるように、上記立上板部１２ｆの背面側の係合部を、上記第２取付部１３ｂに形成されている係合部に係合させる。上記ビス４３の頭部は外に露呈しているものの、真下位置からは上記第２見切部材１２によって隠されて見えず、また、斜め外側の位置からは、上記第１見切部材１１の奥側の下面部分によって隠されて見えない。
【００３１】
上記のように、上記見切り１が上記第１見切部材１１と上記第２見切部材１２とに分かれていると、例えば上記第２見切部材１２に影響を与えずに上記第１見切部材１１に有用な機能を持たせることが容易であり、また、その逆も容易である。また、上記取付本体部１３に上記第１見切部材１１および上記第２見切部材１２が取り付けられる構造であるので、当該見切り１を取り付ける際の作業性も向上する。上記有用な機能の箇所としては、上記水切り１１ｂ、上記水返し１１ｃ、上記水抜き孔１１ｄ、上記係止凹部１１ｅ、上記当接部１１ｆ、上記第１凸ライン部１２ｃ、上記第２凸ライン部１２ｄなどがある。
【００３２】
また、上記見切り１が上記第１見切部材１１と上記第２見切部材１２とに分かれていると、上記第１見切部材１１と上記第２見切部材１２の表面色および材質の少なくとも一方を異ならせることが容易である。さらに、上記第２見切部材１２の表面色および質感を、上記軒天の表面色および質感と同一か、または上記第１見切部材１１の表面色および質感よりも上記軒天の表面色および質感に近くすることも容易である。
【００３３】
上記第１見切部材１１と上記第２見切部材１２の表面色および材質の少なくとも一方が異なるようにすると、例えば、見切り全体の厚みに対して上記第１見切部材１１の薄さを際立たせて、意匠性を高めることが可能になる。また、上記第１見切部材１１の上記先端部１１ａの高さを５．０ｍｍ以上１０．０ｍｍ以下とすることで、上記第１見切部材１１の薄さをさらに際立たせることが容易になる。また、上記第１見切部材１１の下面からの上記水切り１１ｂの突出量を１．０ｍｍ以上２．０ｍｍ以下とし、当該水切り１１ｂを比較的小さな突出量とすることで、水切りの機能を確保しつつ上記見切り１の意匠性をさらに向上できる。
【００３４】
また、上記第１見切部材１１および上記第２見切部材１２によって上記ビス４３の頭部が隠されて見えないようになっていると、上記ビス４３によって見切り１の意匠性が損なわれるのを防止することができる。
【００３５】
また、上記の見切り設置構造であれば、上記外壁２と軒天３の交差する箇所において、見切り取り付けの作業性や意匠性が向上する。また、上記第１見切材１１および第２見切部材１２の存在で上記外壁２と軒天３の切口が隠されるとともに、上記第１見切部材１１の下側に上記第２見切部材１２が段差で存在することで、上記外壁２と軒天３の交差する箇所において立体感や奥行き感が感じられることになる。
【００３６】
上記第２見切部材１２の表面色および質感が、上記軒天の表面色および質感と同一か、上記第１見切部材１１の表面色および質感よりも上記軒天の表面色および質感に近くすると、上記第２見切部材１２が上記軒天と外観において調和しやすくなる。さらに、上記第１見切部材１１の表面色や材質を上記第２見切部材１２と異ならせていると、上記第１見切部材１１が一層薄くシャープにすっきりと見えるようになり、上記立体感や奥行き感がさらに感じられて上質感も出せるようになる。
【００３７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３８】
１      水切り
１１    第１見切部材
１１ａ  先端部
１１ｂ  水切り
１１ｃ  水返し
１１ｄ  水抜き孔
１１ｅ  係止凹部
１２    第２見切部材
１２ｃ  第１凸ライン部
１２ｄ  第２凸ライン部
１３    取付本体部
１３ａ  第１取付部
１３ｂ  第２取付部
２      外壁
３      軒天
【図１】
2015031116.tif 000003
【図２】
2015031116.tif 000004
【図３】
2015031116.tif 000005